(57)【要約】  【課題】  携帯電話機の目覚まし機能を簡単に代替して実行できるテレビを提供する。  【解決手段】  テレビ１は、画像を表示する表示部１２と、音声を発するスピーカー１３と、所定の時刻に振動のみによって報知を行うモードが設定された携帯電話機から発せられる所定の振動音の周波数を予め記憶したメモリー１６と、外部からの音を受けて電気信号として送り出す集音マイク１５と、全体を制御するＣＰＵ１１と、を備える。ＣＰＵ１１は、集音マイク１５から受け取った電気信号の周波数とメモリー１６に記憶されている所定の周波数とを照合し、この照合結果が一致の場合、表示部１２への画像出力及びスピーカー１３への音声出力をオンする。【選択図】      図２
2006005783.tif 000002
【特許請求の範囲】
【請求項１】
画像を表示する表示部と、音声を発するスピーカーと、表示部への画像出力及びスピー
カーへの音声出力を制御する制御部と、を備えたテレビにおいて、
所定の時刻に振動のみによって報知を行うモードが設定された携帯電話機から発せられ
る所定の振動音の周波数を予め記憶したメモリーと、外部からの音を受けて電気信号とし
て送り出す集音マイクと、を備えており、
制御部は、予め設定された時間帯に、集音マイクからの電気信号の受取を受け付けて、
集音マイクから受け取った電気信号の周波数とメモリーに記憶されている所定の周波数と
を照合し、この照合結果が一致の場合、表示部への画像出力と共にスピーカーへの音声出
力をオンし、その後所定時間の経過ごとに、スピーカーからの音量を大きくするように音
声出力を制御することを特徴とするテレビ。
【請求項２】
画像を表示する表示部と、音声を発するスピーカーと、表示部への画像出力及びスピー
カーへの音声出力を制御する制御部と、を備えたテレビにおいて、
所定の時刻に振動のみによって報知を行うモードが設定された携帯電話機から発せられ
る所定の振動音の周波数を予め記憶したメモリーと、外部からの音を受けて電気信号とし
て送り出す集音マイクと、を備えており、
制御部は、集音マイクから受け取った電気信号の周波数とメモリーに記憶されている所
定の周波数とを照合し、この照合結果が一致の場合、少なくともスピーカーへの音声出力
をオンすることを特徴とするテレビ。
【請求項３】
前記制御部は、予め設定された時間帯に、集音マイクからの電気信号の受取を受け付け
ることを特徴とする請求項２に記載のテレビ。
【請求項４】
前記制御部は、スピーカーへの音声出力をオンした後、スピーカーからの音量を次第に
大きくするように音声出力を制御することを特徴とする請求項２又は３に記載のテレビ。
【発明の詳細な説明】
【技術分野】
【０００１】
本発明は、テレビに関する。
【背景技術】
【０００２】
従来一般のテレビは、画像及び音声の情報信号をアンテナで受信したり光ケーブルを介
して取得したりし、その画像を表示部に表示するとともに、その音声をスピーカーから発
することで、使用者に視聴させることを本質的な機能とする。また、補助的な機能として
、時計を内蔵し、設定された所定の時刻になると、表示部への画像出力と共にスピーカー
への音声出力が自動的にオンし、これにより、使用者への目覚ましの報知がなされものが
一般に知られている。但し、このテレビでの目覚まし機能は、テレビの本質的な機能であ
る視聴機能とはまったく異質であるため、ほとんど利用されていないのが実状である。
【０００３】
一方近年では、携帯電話機がめざましく普及してきており、この携帯電話機には目覚ま
し機能が標準的に搭載されている。携帯電話機は持ち運びに便利であるし、これのみで通
話は勿論のこと電子情報取得やメール交換といった種々の機能を実現できることから、使
用者はほとんど一日中身近に携えており、時計として利用している使用者も極めて多い。
従って、携帯電話機での目覚まし機能が利用される機会は、テレビに比べて格段に多い。
【０００４】
ところで、電車の中や職場において携帯電話機を携えるときは、通常、周囲への迷惑と
ならないように、通話の呼出音やメールの着信音が発せられないで、振動によってその通
話呼出やメール着信を使用者へ報知するモード、いわゆるマナーモードが設定される。勿
論、このマナーモードが設定された状態では、携帯電話機からは目覚まし用の報知音も発
せられない。従って、このような携帯電話機をいざ目覚ましとして利用する際は、所定の
時刻を設定した上で、マナーモードを解除しておく必要がある。
【０００５】
しかし、使用者にとって、携帯電話機におけるマナーモードの解除操作は、目覚ましの
設定操作とは意識が異なるものであることから、その解除を怠ってしまう場合がある。こ
の場合、所定の時刻に携帯電話機そのものが振動して微弱な振動音が発せられるものの、
報知音はいっさい鳴らないため、使用者への報知が実質行われない。つまり、携帯電話機
での目覚まし機能が実行されない状況となる。
【０００６】
このような不都合を解消する手法として、テレビを複合的に活用するものがある。例え
ば特許文献１では、先ず携帯電話機において、設定された所定の時刻になると、携帯電話
機の有するアンテナから所定の無線信号が外部へ発信される。一方テレビにおいては、携
帯電話機からの無線信号をテレビの有する内蔵アンテナで受信し、この受信の無線信号に
基づきテレビの電源、すなわち表示部への画像出力と共にスピーカーへの音声出力が自動
的にオンするようになっている。これにより、マナーモードの如何にかかわらず、テレビ
のスピーカーより音声が発せられ、使用者への目覚ましの報知がなされる。
【特許文献１】特開２００２−２４４７７１号公報（第５頁、第４図）
【発明の開示】
【発明が解決しようとする課題】
【０００７】
ところが、上記した携帯電話機の目覚まし機能を代替して実行するテレビでは、携帯電
話機からの無線信号を受信する必要があることから、その受信部を改めて設ける場合は別
として、そもそも内蔵アンテナを備えていないテレビや、光ケーブルのみ対応のテレビで
は、対応がまったく不可能である。しかも、携帯電話機側には、設定された所定の時刻に
所定の無線信号を発信する機能が必要となることから、一般に流通している標準的な携帯
電話機にその機能の付加を強要することになる。また、総合的に見ても、一般に製造元の
異なるテレビと携帯電話機について、両者共に格別の工夫を施すことは事実上困難であり
、実用化に乏しい。
【０００８】
そこで本発明は、上記の問題に鑑みてなされたものであり、マナーモードに設定された
ままの携帯電話機の目覚まし機能を簡単に代替して実行できるテレビを提供することを目
的とするものである。
【課題を解決するための手段】
【０００９】
上記目的を達成するため、本発明のテレビでは、画像を表示する表示部と、音声を発す
るスピーカーと、表示部への画像出力及びスピーカーへの音声出力を制御する制御部と、
を備えたテレビにおいて、所定の時刻に振動のみによって報知を行うモードが設定された
携帯電話機から発せられる所定の振動音の周波数を予め記憶したメモリーと、外部からの
音を受けて電気信号として送り出す集音マイクと、を備えており、制御部は、集音マイク
から受け取った電気信号の周波数とメモリーに記憶されている所定の周波数とを照合し、
この照合結果が一致の場合、少なくともスピーカーへの音声出力をオンするようになって
いる。
【００１０】
これにより、仮にマナーモードの解除を怠り、マナーモードが設定されたままの携帯電
話機を目覚ましとして利用してしまう場合であっても、所定の時刻に携帯電話機から発せ
られた振動音をテレビの集音マイクで受け取って認知し、これに反応してテレビのスピー
カーから音声が報知音として発せられるため、携帯電話機での目覚まし機能がテレビによ
り代替されて実行できることになる。これは、標準的な携帯電話機には何ら工夫を施すこ
となく、テレビのみに格別な工夫を施すことで足りることから、実用化も簡単である。
【００１１】
ここで、マナーモードでの携帯電話機から発せられる通話呼出やメール着信に伴う振動
に対し、テレビ側の誤反応を防止する観点から、前記制御部は、予め設定された時間帯に
、集音マイクからの電気信号の受取を受け付けるようになっていることが好ましい。
【００１２】
更に、使用者に対する目覚ましの確実性を高める目的で、前記制御部は、スピーカーへ
の音声出力をオンした後、スピーカーからの音量を次第に大きくするように音声出力を制
御するようになっているとよい。
【発明の効果】
【００１３】
本発明のテレビによれば、マナーモードに設定されたままの携帯電話機の目覚まし機能
を代替して実行できるし、実用化も簡単である。
【発明を実施するための最良の形態】
【００１４】
以下に、本発明のテレビの一実施形態について図面を参照しながら詳述する。図１は本
発明の一実施形態であるテレビとこれに関与する携帯電話機の外観構成を示す斜視図、図
２はそのテレビとこれに関与する携帯電話機の内部構成の要部を示すブロック図である。
【００１５】
本実施形態のテレビ１は、本質的な視聴機能を実現できるように、従来一般のテレビと
同様、大きくは、全体の動作を制御するＣＰＵ１１、このＣＰＵ１１からの指令により画
像を表示する表示部１２、同じくＣＰＵ１１からの指令により音声を発するスピーカー１
３を備える。例えば、画像及び音声の情報信号としての電波をアンテナで受信して、チュ
ーナーで電気信号に変換し、ＣＰＵ１１によって、その画像信号が表示部１２へ出力され
るとともに、その音声信号がスピーカー１３へ出力される。勿論、光ケーブルを介して画
像及び音声の情報信号を取得することもできる。なお、図１中の符号１４は、テレビ１の
主電源スイッチである。
【００１６】
続いて、本実施形態のテレビ１の特徴的な構成について説明するが、これに先立ち、テ
レビ１の反応の源である携帯電話機２について述べる。携帯電話機２は、一般に流通して
いる標準的なものであって、通話は勿論のこと目覚ましや電子情報取得やメール交換とい
った種々の機能が搭載されている。マナーモードが解除された状態では、通話呼出やメー
ル着信の際、内蔵のスピーカーから呼出音や着信音が発せられ、これにより使用者へ報知
がなされる。一方、マナーモードが設定された状態では、その際、内蔵の振動子２１が振
動し、これに同期して携帯電話機２そのものが振動し、これにより携帯電話機２を携えた
使用者へ報知がなされる。
【００１７】
また、このような携帯電話機２を目覚ましとして利用する場合、使用者によって設定さ
れた所定の時刻になると、マナーモードが解除された状態では、内蔵のスピーカーから報
知音が発せられ、これにより使用者へ報知がなされる。一方、所定の時刻設定時にマナー
モードの解除を怠ってしまいマナーモードが設定されたままの状態では、内蔵の振動子２
１が振動し、これに同期して携帯電話機２そのものが振動し、携帯電話機２からは微弱な
振動音のみが発せられる。この場合、携帯電話機２からは使用者への報知が実質行われな
いことになる。そこで、この場合の携帯電話機２での目覚まし機能を補うために、テレビ
１に、以下に示す格別な工夫が施されている。
【００１８】
本実施形態のテレビ１は、上記した標準的な構成に加えて、集音マイク１５、メモリー
１６、時計１７、タイマー１８を備え、これらは各々ＣＰＵ１１へ接続されている。ここ
で、集音マイク１５は、外部からの音を受けて電気信号に変換しＣＰＵ１１へ送り出すも
のであって、テレビ１に一体的に設けてもよいし、別体でケーブルを介して接続してもよ
い。
【００１９】
メモリー１６には、携帯電話機２から発せられる振動音の周波数、すなわち携帯電話機
２の振動子２１が発する振動の周波数に関わるデータが記憶されている。但し、ここで記
憶されている周波数のデータは、使用者が所有する携帯電話機２に固有のものである。ち
なみに、一般に流通している種々の携帯電話機２においては、機種ごと又は製造元ごとに
、発する振動の周波数が微妙に異なる。そのため、実際には、機種ごと又は製造元ごとの
各携帯電話機２に対応する複数種類の周波数のデータがメモリー１６にもともと登録され
ていて、使用者は、実際に所有する携帯電話機２に見合ったものをテレビ１の操作部（例
えばリモコン）によって予め設定することになる。
【００２０】
このような構成のテレビ１による動作について引き続き説明する。携帯電話機２から所
定の時刻に発せられた振動音が集音マイク１５で収集される。集音マイク１５では、その
受けた振動音が電気信号すなわち周期信号に変換され、ＣＰＵ１１へ送り出される。なお
、その周期信号はそもそも微弱な振動音を根源とするため、アンプを介して増幅すること
も有効である。
【００２１】
次いで、ＣＰＵ１１は、メモリー１６から記憶されている所定の周波数のデータを抽出
し、この抽出のデータの周波数と集音マイク１５からの周期信号の周波数とを照合する。
この照合結果が一致の場合は、ＣＰＵ１１から表示部１２及びスピーカー１３へ画像出力
及び音声出力をオンする指令を送り、表示部１２に画像が表示されるとともにスピーカー
１３から音声が発せられる。
【００２２】
このように、仮にマナーモードの解除を怠り、マナーモードが設定されたままの携帯電
話機２を目覚ましとして利用してしまう場合であっても、所定の時刻に携帯電話機２から
発せられた振動音をテレビ１の集音マイク１５で受け取って認知し、これに反応してテレ
ビ１のスピーカー１３から音声が報知音として発せられるため、携帯電話機２での目覚ま
し機能がテレビ１により代替されて実行できることになる。これは、標準的な携帯電話機
２には何ら工夫を施すことなく、テレビ１のみに格別な工夫を施すことで足りることから
、実用化も簡単である。なお、目覚ましの報知には、基本的には聴覚に与える報知で十分
であるため、スピーカー１３への音声出力のみをオンすることで一応は足りるが、これと
併せて表示部１２への表示出力をオンすると、視覚に対しても補足的に報知できる。
【００２３】
ところで、マナーモードにある携帯電話機２から発せられる振動は、目覚まし用と、通
話呼出用やメール着信用とで同一の場合がある。この場合、通話呼出やメール着信の際に
も、テレビ１が反応してしまい、使用者にとっては不都合である。そこで、メモリー１６
に予め所定の時間帯（例えば、携帯電話機２での目覚ましの設定時刻が午前７時とした場
合、午前５時から午前７時まで）を設定して登録しておき、その所定の時間帯でのみ、Ｃ
ＰＵ１１が集音マイク１５で受けた音に基づく電気信号の受取を受け付けるようになって
いる。これにより、マナーモードでの携帯電話機２から発せられる通話呼出やメール着信
に伴う振動に対し、所定の時間帯以外でのテレビ１側の誤反応を防止することが可能にな
る。なお、ＣＰＵ１１へは時計１７から時間情報が逐次与えられているため、時刻の認知
は確実に行える。
【００２４】
また、反応したテレビ１のスピーカー１３から発せられる音声（報知音）の音量がその
ままでは、使用者への目覚ましの報知が不十分となる状況が予想される。そこで、ＣＰＵ
１１からの指令でスピーカー１３への音声出力がオンされた後、ＣＰＵ１１は引き続きス
ピーカー１３からの音量を次第に大きくするような指令を送るようになっている。例えば
、スピーカー１３への音声出力がオンされると同時に、タイマー１８が時間の計測を始め
、この時間を受けたＣＰＵ１１が、所定時間の経過ごと（例えば３０秒ごと）に、段階的
にスピーカー１３からの音量を大きくするような指令を送る。
【００２５】
その他本発明は上記の各実施形態に限定されず、本発明の趣旨を逸脱しない範囲で、種
々の変更が可能である。
【産業上の利用可能性】
【００２６】
本発明は、携帯電話機の目覚まし機能を代替して実行するテレビに有用である。
【図面の簡単な説明】
【００２７】
【図１】本発明の一実施形態であるテレビとこれに関与する携帯電話機の外観構成を示す斜視図である。
【図２】本発明の一実施形態であるテレビとこれに関与する携帯電話機の内部構成の要部を示すブロック図である。
【符号の説明】
【００２８】
１    テレビ
２    携帯電話機
１１    ＣＰＵ（制御部）
１２    表示部
１３    スピーカー
１５    集音マイク
１６    メモリー
１７    時計
１８    タイマー
２１    振動子
【図１】
2006005783.tif 000003
【図２】
2006005783.tif 000004